(57)【特許請求の範囲】
【請求項１】
断面が長方形の水路の水路底を横断して設置した回転軸によって、上部を下流側に傾けて起伏自在に据付けた長方形の鋼製扉体の下流面に、上流面に作用する水圧力や扉体の自重等の荷重による転倒モーメントを支持して鋼製扉体の起立または倒伏を制御する操作ローラーを誘導する曲線に仕上げた転動面を有し、鋼製扉体が、起立すれば流水を堰上げ、倒伏すれば放流するようにした主起伏ゲートと、
この主起伏ゲートの下流側の適当に低い水路底に設置した、主起伏ゲートの回転軸に平行な回転軸によって、上部を上流側に傾け、主・副起伏ゲートの回転軸と平行な回転軸によって回転自由に操作ローラーを取り付けた先端を主起伏ゲートの鋼製扉体の下に挿入しつつ、起伏自在に据付けた長方形で十分な曲げ強度と圧縮強度を有する鋼製扉体の下端に導流板を取り付けて、主起伏ゲートの鋼製扉体を越流した水と流芥が該鋼製扉体の上面を流下し、さらに導流板の上から水路の下流方向に流れるようにした副起伏ゲートから構成され、
前記主起伏ゲートの鋼製扉体の先端に、構成扉体の回転軸と平行な回転軸によって回転自由な副導流板を、副起伏ゲートの上方に突き出すと同時に、副起伏ゲートの鋼製扉体の上面に、前記副導流板の先端を支持しつつ摺動させる摺動材を設け、
前記副起伏ゲートの下部に設置した空気袋又はシリンダーにより、副起伏ゲートを起伏操作すれば、主起伏ゲートも起伏操作されるようにしたことを特徴とする起伏ゲート。
【請求項２】
請求項１の起伏ゲートにおいて、堰幅の小さい複数の起伏ゲートを回転軸の方向に並べて堰幅の大きい起伏ゲートとしたことを特徴とする起伏ゲート。
【発明の詳細な説明】
【技術分野】
【０００１】
この発明は、水路の底部に設けた回転軸によって自在に起立または倒伏を行なうことにより、水路の流水を堰上げまたは放流する目的で使用される起伏ゲートに関するものである。
【背景技術】
【０００２】
従来、起伏ゲートとしては、水圧力を受ける鋼板（止水板）に対し十分に強固な横桁や縦桁を配置した鋼製扉体の頭部にワイヤロープやチェーンを取り付けて、これを陸上の巻上機で巻き取りまたは巻き戻して起立または倒伏の操作をする形式のものや、同様の鋼製扉体を下流側水路底に設けた油圧シリンダで押し上げて起立させ、逆に油圧シリンダを縮めて倒伏させる形式のものなどが種々開発され、使用されてきた。
【０００３】
また近年は、ゴム引布製の柔軟で強固な帯で水路底に繋留した鋼製扉体の下流の根本部に設置した空気袋の内部に空気を圧入して空気袋を膨張させることにより鋼製扉体を起伏させ、逆に空気袋から圧力を有する空気を排出することにより、空気袋が縮んで鋼製扉体を倒伏させる形式のものも開発されて使用されている。
【０００４】
ところで、起伏ゲートは、水路を流れて来た水が一旦は堰止められるけれどその鋼製扉体の先端を越流してさらに下流に流れていく構造であり、水の流れの自然に順応した経済性、安全性、操作性などに優れたゲートである。
【０００５】
しかし最近では、ゲート部の景観や近隣に迷惑の及ばない公共設備を求める市民の声が高まり、
１）起伏ゲートに関しては越流していないときは如何にも人工物の外観でなじみにくい。
２）多量に越流しているときは荒々しく感じ、落下する水の音も大きくて迷惑である。
３）魚や水中生物の生活環境を分断して環境を破壊する。
など、批判が多く聞かれるようになってきた。
【０００６】
そこで出願人は、このような「親しみやすい起伏ゲート」を求める周辺の市民の声に対応する地域に優しい起伏ゲートを実現するために、従来、１枚の鋼製扉体を起立または倒伏させることにより、流水の堰上げまたは放流を行ってきた起伏ゲートを、2枚の鋼製扉体を使用する起伏ゲートに改良するという提案を、特願２００１−２５６６１０（特開２００３−６４６５１公報、特許文献１参照）において行っている。
【０００７】
すなわち、上流に回転軸を有する鋼製扉体の上部を下流側に傾けて起伏自在に据付けた主起伏ゲートに対し、下流側の適当に低い位置に回転軸を有する鋼製扉体の上部を上流側に傾け、さらに主起伏ゲートの鋼製扉体の下側に挿入しつつ起伏自在に据付けて副起伏ゲートとする。
【０００８】
加えて、副起伏ゲートの鋼製扉体の先端の操作ローラーが、主起伏ゲートの鋼製扉体を支持するよう組み合わせた上で、副起伏ゲートの鋼製扉体を陸上の空気操作装置によって起伏操作することにより、主起伏ゲートの鋼製扉体を起伏操作するのである。
【０００９】
このように構成すれば、主起伏ゲートの鋼製扉体は、起伏ゲート本来の流水を堰上げしたり放流したりする機能を担当し、副起伏ゲートの鋼製扉体は起伏ゲートで生じた水面の落差を流下する水の勢いを分散して景観の荒々しさと騒音を和らげると同時に、下流側からの起伏ゲートの景観を自然の河川の急流部に似たものとして違和感を和らげる機能を担当すると同時に主起伏ゲートの操作装置の一部としての機能をも担当するのである。
【００１０】
このようにこの発明は、従来の起伏ゲートの鋼製扉体の下流側に逆向きの副起伏ゲートを相互に干渉し合う位置に追加設置することにより、新しい社会的要請に応えることができる新しい起伏ゲートの提供を可能にしたものである。
【特許文献１】特願２００１−２５６６１０（特開２００３−６４６５１公報）
【発明の開示】
【発明が解決しようとする課題】
【００１１】
ところが前記先行する起伏ゲートにおいては、主起伏ゲートが起立した状態において起伏ゲートの扉体の上端から越流してきた水等が副起伏ゲートの扉体の上面を打ち、副起伏ゲートの扉体が損傷を受けたり、耐久性の面で不安感を引き起こしやすいという問題があった。
【課題を解決するための手段】
【００１２】
そこでこの発明の起伏ゲートは、主起伏ゲートの扉体の上部に副導流板を回転自由に取り付けることにより、起立状態においてのみならず倒伏状態においても、主起伏ゲートの扉体を越流して副起伏ゲートの扉体の上面を流れる水等を副導流板で緩やかに流れるようにして、越流する水の激しさを緩和するようにしたものである。
【発明の効果】
【００１３】
この発明の起伏ゲートによれば、主起伏ゲートの扉体の上部に副導流板を回転自由に取り付けることにより、主起伏ゲートの扉体を越流して副起伏ゲートの扉体の上面を流れる水の激しさを緩和することができた。
【００１４】
もちろん、この発明の起伏ゲートによれば、上流側に水を堰上げる１枚の起伏扉体の下流側に、この起伏扉体を起伏操作する装置の一部であると同時に、下流側の越流水を穏やかに流下させる傾斜面の機能を有するもう１枚の起伏扉体を設置したことにより、種々の効果を得ることができた。すなわち、
ａ）起伏ゲートの景観、特に下流からの景観が非常に穏やかとなった。特に副起伏ゲートの上面に石を張るなどの配慮も可能となった。
ｂ）起伏ゲートの騒音を少なくすることができた。起伏ゲートを越流する水は堰上高を一挙に落下するのではなく傾斜面を流下するので、騒音の発生量は非常に小さくなる。
ｃ）流木などによる倒伏障害の不安が解消された。
ｄ）起伏ゲートが魚道の機能を兼ねることも可能になった。起立時の副起伏ゲートの傾斜角を緩やかにすることや表面の加工で可能となる。
以上のように、この発明の起伏ゲートは環境との調和に優れた起伏ゲートであり、新しい時代の河川工作物として貴重なものとなるのである。
【発明を実施するための最良の形態】
【００１５】
以下、この発明の起伏ゲートの実施の形態を、図面に基いて詳細に説明する。
【００１６】
図１ならびに図２はこの発明の起伏ゲートの先行技術を示すものであり、図１は起立状態の起伏ゲートの断面図であり、図２は倒伏状態の起伏ゲートの断面図、図３ならびに図４はこの発明の起伏ゲートの他の先行技術を示すものであり、図３は起立状態の起伏ゲートの断面図であり、図４は倒伏状態の起伏ゲートの断面図、図５ならびに図６はこの発明の起伏ゲートの１実施例を示すものであり、図５は起立状態の起伏ゲートの断面図であり、図６は倒伏状態の起伏ゲートの断面図である。
【００１７】
図１ならびに図２に示す先行技術において、断面が長方形の水路の底部１のアンカー金物２の軸受３と鋼製の扉体４の下端の軸受５が軸６によって回転自由に組み立てられて上部を下流側に傾けて起伏自在であり、アンカー金物２の上面にボルト７と押え板８によって１辺を取り付けられたゴム板９の他辺をボルト１０と押え板１１によって扉体４の下部に取り付けて扉体４とアンカー金物２との間の漏水を防止して主起伏ゲートとする。
【００１８】
この扉体４は、水圧力を直接受ける止水板１２、横桁１３、縦桁１４、頭部で下流側に突き出た導流板１５等で構成する。このとき、縦桁１４の止水板１２の反対側は、扉体４の起立または倒伏を制御する操作ローラー１６の転動面１７であり、その上部にはローラー止め１８が下流側に突き出して導流板１５を支持する役目も果たしている。
【００１９】
この主起伏ゲートの下流側の適当量低い水路底に設置した支持台１９の軸受２０と副起伏ゲートの扉体２１の下端の軸受２２とが軸２３によって回転自由に組み立てられて起伏自在であり、その上方を主起伏ゲートの扉体４の下に挿入し、さらに先端に回転自由に取り付けた操作ローラー１６によって主起伏ゲートの扉体４の縦桁１４の転動面１７を支持している。
【００２０】
また、副起伏ゲートの扉体２１の下端上面には、強度と弾性を有する板により下端導流板２４を設けて主起伏ゲートの扉体４の上部から導流板１５、副起伏ゲートの扉体２１の止水板２５と、順次越流してきた水を支持台１９より下流に放流する。
【００２１】
他方、扉体２１の上端上面には、越流する水が導流板１５より扉体２１に移る際に扉体４と扉体２１との隙間にこぼれないようにする止水板２５の曲げ上げ部２６を有する。このとき、主起伏ゲートの軸６と副起伏ゲートの軸２３は平行であり、適当量だけ軸２３を低くしてあり、扉体４と扉体２１、操作ローラー１６の寸法を正しく選択することにより、副起伏ゲートが起立または倒伏の操作を行なうとき、これに寄り掛かるように下流側に傾いた主起伏ゲートの扉体４の縦桁１４の転動面１７を操作ローラー１６が常に支持しているから、主起伏ゲートも起立または倒伏することになる。
【００２２】
今、このように組み合わせて据付けした主起伏ゲートと副起伏ゲートにおいて、副起伏ゲートの扉体２１の軸２３に近い位置の水路底に、空気を排出したとき平らな長方形に縮小する３辺が閉じ、１辺が開いたゴム引布製の空気袋２８の開いた辺をアンカーボルト２９と押え板３０とによって押えつけることによって開いた辺を密閉しつつ固定する。その上で、空気袋２８の下部の口金３１に接続した空気管３２を水路のコンクリートに埋設するなどして陸上に導き、空気操作装置の排気用開閉弁３３、排気用流量調整弁３４、排気放出部３５、給気用開閉弁３６、給気用流量調整弁３７、空気圧縮機３８に図１および図２のように接続する。
【００２３】
そして、空気圧縮機３８から給気用流量調整弁３７、給気用開閉弁３６、空気管３２、口金３１を経由して空気袋２８の内部に空気を圧入した結果、空気袋２８が副起伏ゲートの扉体２１の下面の鋼板２７を押し上げて扉体２１を起立させ、その結果操作ローラー１６が扉体４の転動面１７を押上げて扉体４が起立した状態の断面図が図１である。
【００２４】
このとき、扉体２１の上方下面においてボルト３９と押え板４０とで一端を固定した十分な強度を有するゴム引布製の帯４１の他端を空気袋２８の接触するより上流側の水路底にアンカーボルト４２と押え板４３とで固定してあるため、この帯４１に作用する張力により扉体２１が停止している。すなわち、操作ローラー１６は扉体４の縦桁１４上端のローラー止め１８には接触していない。ローラー止め１８は、帯４１が破損した場合の安全策として設けてある。
【００２５】
図１において扉体４が上流に堰上げた水の圧力と扉体４の自重は扉体４を軸６によって時計回りに倒伏させようとするけれども、操作ローラー１６に支持されている。この操作ローラー１６は、扉体２１の先端に回転自由に取り付けられており、縦桁１４の転動面１７と操作ローラー１６の中心と扉体２１の軸２３の中心とを結ぶ線の交わる角度閘が９０ーより十分大きく設定してある。したがって扉体４によって操作ローラー１６に加えられる力は、扉体２１を軸２３によって反時計回りに倒伏させるように作用する。しかし、空気袋２８が水路底と扉体２１の鋼板２７の間において圧力を有する空気によって膨張しており、扉体２１を支持するから、全体が安定して起立しているのである。
【００２６】
他方、空気圧縮機３８を停止し、給気用開閉弁３６を閉じ、排気用開閉弁３３を開いて排気用流量調整弁３４によって制御しつつ排気放出部３５から空気袋２８の内部の圧力を有する空気を大気中へ放出した結果、空気袋２８が平らに縮小して副起伏ゲートの扉体２１が倒伏し、その結果、操作ローラー１６による支持を失った扉体４も倒伏した状態の断面図が図２である。操作ローラー１６が台４４に支持されるから、扉体２１は操作ローラー１６と軸２３に支持され、扉体４は操作ローラー１６と軸６に支持されて各々安定しており、同時に扉体４と扉体２１の止水板の面は上流から下流に向けて適当な傾斜を有しているから水や土砂は支障なく流下することができる。このとき、扉体４と扉体２１の下方に生じた漏水は、排水孔４５によって起伏ゲートの下流に排出されて支障はない。
【００２７】
図３ならびに図４はこの発明の起伏ゲートの他の先行技術を示すものであって、図３は起立状態の起伏ゲートの断面図であり、図４は倒伏状態の起伏ゲートの断面図である。
【００２８】
図３ならびに図４において、断面が長方形の水路の底部１のアンカー金物２の軸受３と鋼製の扉体４の下端の軸受５が軸６によって回転自由に組み立てられて上部を下流側に傾けて起伏自在であり、アンカー金物２の上面にボルト７と押え板８によって１辺を取り付けられたゴム板９の他辺をボルト１０と押え板１１によって扉体４の下部に取り付けて扉体４とアンカー金物２との間の漏水を防止して主起伏ゲートとする。
【００２９】
この扉体４は、水圧力を直接受ける止水板１２、横桁１３、縦桁１４、頭部で下流側に突き出た導流板１５等で構成する。このとき、縦桁１４の止水板１２の反対側は、扉体４の起立または倒伏を制御する操作ローラー１６の転動面１７であり、その上部にはローラー止め１８が下流側に突き出して導流板１５を支持する役目も果たしている。
【００３０】
この主起伏ゲートの下流側の適当量低い水路底に設置した支持台１９の軸受２０と副起伏ゲートの扉体２１の下端の軸受２２とが軸２３によって回転自由に組み立てられて起伏自在であり、その上方を主起伏ゲートの扉体４の下に挿入し、さらに先端に回転自由に取り付けた操作ローラー１６によって主起伏ゲートの扉体４の縦桁１４の転動面１７を支持している。
【００３１】
また、副起伏ゲートの扉体２１の下端上面には、強度と弾性を有する板により下端導流板２４を設けて主起伏ゲートの扉体４の上部から導流板１５、副起伏ゲートの扉体２１の止水板２５と、順次越流してきた水を支持台１９より下流に放流する。
【００３２】
他方、扉体２１の上端上面には、越流する水が導流板１５より扉体２１に移る際に扉体４と扉体２１との隙間にこぼれないようにする止水板２５の曲げ上げ部２６を有する。このとき、主起伏ゲートの軸６と副起伏ゲートの軸２３は平行であり、適当量だけ軸２３を低くしてあり、扉体４と扉体２１、操作ローラー１６の寸法を正しく選択することにより、副起伏ゲートが起立または倒伏の操作を行なうとき、これに寄り掛かるように下流側に傾いた主起伏ゲートの扉体４の縦桁１４の転動面１７を操作ローラー１６が常に支持しているから、主起伏ゲートも起立または倒伏することになる。
【００３３】
今、このように組み合わせて据付けした主起伏ゲートと副起伏ゲートにおいて、副起伏ゲートの扉体２１の軸２３より十分に上流側に寄った位置の水路底に、油圧ジャッキ５０を上部を適度に下流側に傾けて、そのロッド５１の先端のローラー５２が扉体２１の下面の鋼板２７を押し上げる姿勢として設置する。その上で油圧ジャッキ５０に接続した送油管５３を水路のコンクリートに埋設するなどして陸上に導き、油圧操作装置の倒伏弁５４、倒伏時流量調整弁５５、起立弁５６、起立時流量調整弁５７、油圧ポンプ５８、油タンク５９に図３および図４のように接続する。
【００３４】
そして、油タンク５９から油圧ポンプ５８によって起立時流量調整弁５７、起立弁５６、送油管５３を経由して油圧ジャッキ５０に作動油を圧入した結果、油圧ジャッキ５０が伸長しロッド５１の先端のローラー５２が副起伏ゲートの扉体２１の下面の鋼板２７を押上げて扉体２１を起立させ、その結果操作ローラー１６が扉体４の転動面１７を押し上げて扉体４が起立した状態の断面図が図３である。
【００３５】
このとき、扉体２１の上方下面においてボルト３９と押え板４０とで一端を固定した十分な強度を有するゴム引布製の帯４１の他端を油圧ジャッキ５０より上流側の水路底にアンカーボルト４２と押え板４３とで固定してあるため、この帯４１に作用する張力により扉体２１が停止している。すなわち、操作ローラー１６は扉体４の縦桁１４上端のローラー止め１８には接触していない。ローラー止め１８は、帯４１が破損した場合の安全策として設けてある。
【００３６】
図３において扉体４が上流に堰上げた水の圧力と扉体４の自重は扉体４を軸６によって時計回りに倒伏させようとするけれども、操作ローラー１６に支持されている。この操作ローラー１６は、扉体２１の先端に回転自由に取り付けられており、縦桁１４の転動面１７と操作ローラー１６の中心と扉体２１の軸２３の中心とを結ぶ線の交わる角度閘が９０ーより十分大きく設定してある。したがって扉体４によって操作ローラー１６に加えられる力は、扉体２１を軸２３によって反時計回りに倒伏させるように作用する。しかし、油圧ジャッキ５０が水路底と扉体２１の鋼板２７の間において作動油を圧入されて伸長しており、ロッド５１の先端のローラー５２が鋼板２７を押し上げて扉体２１を支持するから、全体が安定して起立しているのである。
【００３７】
他方、油圧ポンプ５８を停止し、起立弁５６を閉じ、倒伏弁５４を開いて倒伏時流量調整弁５５によって制御しつつ油圧ジャッキ５０の内部の圧力を有する作動油を送油管５３を経由して油タンク５９に戻すことにより、油圧ジャッキ５０が縮小した結果、ロッド５１の先端のローラー５２による支持がなくなって副起伏ゲートの扉体２１が倒伏し、その結果操作ローラー１６による支持を失った扉体４も倒伏した状態の断面図が図４である。このとき、操作ローラー１６は台４４に支持されるから、扉体２１は操作ローラー１６と軸２３に支持され、扉体４は操作ローラー１６と軸６に支持されて各々安定しており、同時に扉体４と扉体２１の止水板の面は上流から下流に向けて適当な傾斜を有しているから水や土砂は支障なく流下することができる。このとき、扉体４と扉体２１の下方に生じた漏水は、排水孔４５によって起伏ゲートの下流に排出されて支障はない。
【００３８】
図５ならびに図６はこの発明の起伏ゲートの１実施例を示すものであって、図５は起立状態の起伏ゲートの断面図であり、図６は倒伏状態の起伏ゲートの断面図である。
【００３９】
図５ならびに図６において、断面が長方形の水路の底部１のアンカー金物２の軸受３と鋼製扉体６１の下端の軸受５が軸６によって回転自由に組み立てられて上部を下流側に傾けて起伏自在であり、アンカー金物２の上面にボルト７と押え板８によって１辺を取り付けられたゴム板９の他辺をボルト１０と押え板１１によって扉体６１の下部に取り付けて扉体６１とアンカー金物２との間の漏水を防止して主起伏ゲートとする。
【００４０】
この扉体６１は、水圧力を直接受ける止水板６２、横桁６３、縦桁６４、縦桁上部の軸受６５で構成し、軸受６５には軸６６によって副導流板６７の軸受６８が回転自由に組立てられ副導流板６７が導流板６９の下流側に突き出ている。
このとき、縦桁６４の止水板６２の反対側は、扉体６１の起立または倒伏を制御する操作ローラー１６の転動面１７である。
また副導流板６７の先端７０は副起伏ゲートの扉体２１の上面の摺動材７１に支持されて安定している。
【００４１】
この主起伏ゲートの下流側の適当量低い水路底に設置した支持台１９の軸受２０と、副起伏ゲートの扉体２１の下端の軸受２２とが軸２３によって回転自由に組み立てられて起伏自在であり、その上方を主起伏ゲートの扉体６１の下に挿入し、さらに先端に回転自由に取り付けた操作ローラー１６によって主起伏ゲートの扉体６１の縦桁６４の転動面６７を支持している。
この実施例においては、副起伏ゲートの扉体２１と油圧ジャッキ５０、ロッド５１の先端のローラー５２、送油管５３、その他油圧操作装置との関係は、図３ならびに図４の実施例と同一であるから、油圧ジャッキ５０の伸張によって主起伏ゲートの扉体６１が起立し、油圧ジャッキ５０の縮小によって主起伏ゲートの扉体６１が倒伏して起伏ゲートとして機能することができる。
【００４２】
この実施例においては、主起伏ゲートの扉体６１の上部に副導流板６７を回転自由に取り付けることにより、主起伏ゲートの扉体６１を越流して副起伏ゲートの扉体２１の上面を流れる水の激しさを緩和することができた。
なお、この実施例に示す起伏ゲートは、主起伏ゲートの扉体６１の起立状態において、主起伏ゲートの扉体６１に対する副起伏ゲートの扉体２１先端の操作ローラー１６の当接部位が、主起伏ゲートの扉体６１の上端よりやや下側に位置しているときに特に有効であり、起伏ゲートの大型化に容易に対応することができるようになった。
【産業上の利用可能性】
【００４３】
上記実施例においては、副起伏ゲートの扉体の起伏動作を油圧ジャッキによって行なった場合について説明したが、ゴム引布製の空気袋に圧入ないし排出する空気の圧力で副起伏ゲートの扉体の起伏動作を行なってもよいことはもちろんである。
【図面の簡単な説明】
【００４４】
【図１】この発明の起伏ゲートの先行技術の一例を示し、起伏ゲートが起立した状態の断面図である。
【図２】起伏ゲートが倒伏した状態の断面図である。
【図３】この発明の起伏ゲートの先行技術の他の例を示し、起伏ゲートが起立した状態の断面図である。
【図４】起伏ゲートが倒伏した状態の断面図である。
【図５】この発明の起伏ゲートの１実施例を示し、起伏ゲートが起立した状態の断面図である。
【図６】起伏ゲートが倒伏した状態の断面図である。
【符号の説明】
【００４５】
１ 底部
２ アンカー金物
３ 軸受
４ 扉体
５ 軸受
６ 軸
７ ボルト
８ 押え板
９ ゴム板
１０ ボルト
１１ 押え板
１２ 止水板
１３ 横桁
１４ 縦桁
１５ 導流板
１６ 操作ローラー
１７ 転動面
１８ ローラー止め
１９ 支持台
２０ 軸受
２１ 扉体
２２ 軸受
２３ 軸
２４ 導流板
２５ 止水板
２６ 曲げ上げ部
２７ 鋼板
２８ 空気袋
２９ アンカーボルト
３０ 押え板
３１ 口金
３２ 空気管
３３ 排気用開閉弁
３４ 排気用流量調整弁
３５ 排気放出部
３６ 給気用開閉弁
３７ 給気用流量調整弁
３８ 空気圧縮機
３９ ボルト
４０ 押え板
４１ 帯
４２ アンカーボルト
４３ 押え板
４４ 台
４５ 排水孔
５０ 油圧ジャッキ
５１ ロッド
５２ ローラー
５３ 送油管
５４ 倒伏弁
５５ 倒伏時流量調整弁
５６ 起立弁
５７ 起立時流量調整弁
５８ 油圧ポンプ
５９ 油タンク
６１ 扉体
６２ 止水板
６３ 横桁
６４ 縦桁
６５ 軸受
６６ 軸
６７ 副導流板
６８ 軸受
６９ 導流板
７０ 先端
７１ 摺動材
【図１】
0004428571.tif 000002
【図２】
0004428571.tif 000003
【図３】
0004428571.tif 000004
【図４】
0004428571.tif 000005
【図５】
0004428571.tif 000006
【図６】
0004428571.tif 000007